(57)【特許請求の範囲】
【請求項１】
連続するトリム下切刃２をそなえた下トリマー１と、該下トリマー１に対して相対移動可能に対向配置され、前記下トリマー１のトリム下切刃２とかみ合い可能なトリム上切刃４、４’を備えた上トリマー３と、該上トリマー３に対して相対移動可能に対向配置された前記上トリマー３のスクラップ上切刃５と噛み合い可能なスクラップ下切刃１２を備えるスクラップカッター１１とからなり、常態において前記スクラップ下切刃１２の上面を前記トリム下切刃２と同一高さになるよう前記スクラップカッター１１の水平部下面を、スクラップカッタの下切刃１２とスクラップ上切刃５とによる剪断力より強いばね１３をもって押し上げるよう付勢してなることを特徴とする打抜き装置。
【発明の詳細な説明】
【技術分野】
【０００１】
本発明は、上下のトリマーのかみ合いによって板金材料から製品とそのスクラップを剪断するに適した打抜き装置、殊にその中のスクラップカッターの改良に関する。
【背景技術】
【０００２】
前記打抜き装置は一般に図７以下に示すように、下トリマー１のトリム下切刃２と、上トリマー３のトリム上切刃４、４’とのかみ合いによって、板金材料８の製品打抜き部８ａを剪断し、上トリマー３のトリム上切刃４に直交して設けられたスクラップ上切刃５と、スクラップカッター６のスクラップ下切刃７とによってスクラップ打抜き部８ｂが剪断されるようになっている。
【０００３】
しかしながら、上記打抜き装置では、製品打抜き部８ａの剪断を、スクラップ打抜き部８ｂの剪断に先行するため、図７に示すようにスクラップカッター６のスクラップ下切刃７を下トリマー１のトリム下切刃２に対して低く設置してしており、上トリマー３のスクラップ上切刃５のかみ合い量は上トリマー３のトリム上切刃４のかみ合い量より大きくしている。なお、スクラップカッター６の上部に位置する上トリマー３のトリム上切刃４のかみ合い量は、上トリマー３におけるそれ以外の場所のトリム上切刃４のかみ合い量と同等である。
【０００４】
従って、この打抜き装置では、まず図７に示すように、板金材料８が下トリマー１の上面に位置決めされた後、下トリマー１に対して上トリマー３を下降させれば、図８に示すように、下トリマー１のトリム下切刃２と、上トリマー３のトリム上切刃４とのかみ合いによって、板金材料８の製品打抜き部８ａが剪断される。
【０００５】
しかし、スクラップカッター６の下スクラップ切刃７の上方の８ａ’部では、トリム上切刃４’とトリム下切刃２がかみ合うだけで、未だトリム上切刃４とトリム下切刃２とのかみ合いがないので、上記８ａ’部では、トリム上切刃４’とトリム下切刃２によって板金材料８を引張り、トリム下切刃２に巻き付けるようにして引き裂く、ねじり切り（空中切り）なる現象が生ずる。
【０００６】
上記空中切りにより生ずる破面は引き千切られた破断面となるから、次のような不具合がある。即ち、ａ．次工程以降で更に成形を加える場合に応力集中を生じ、板金材料の端部の割れの原因となりやすい、ｂ．破面にはバリが発生しやすく、作業時のケガの原因に
なりやすい、ｃ上記バリは他部品とのスポット溶接による組付け時、チリ（火花）の発生や接合不良の原因になりやすい。
【０００７】
これらの問題点を解決する手段として、特許文献１に示すように、前記上トリマー３のスクラップ上切刃５を上トリマー３内において皿バネで下方に押圧するように配設したものがあるが、上記皿バネを内装した構造が複雑で故障を生じやすく、又内部の皿バネが破損したときは、スクラップ上切刃５を備えた上スクラップカッターが出たままの状態または引っ込んだままの状態となって、以後の生産継続が不可能となり、金型（トリマー）の破損にも繋がりかねない。
【特許文献１】特開平７−２５６３５５号
【発明の開示】
【発明が解決しようとする課題】
【０００８】
本発明が解決しようとする問題点は、打抜き装置稼働時、製品打抜き部に生じやすい前記ねじり切り（空中切り）を極力少なくし、ねじり切りにより派生する前記不具合をなくすことのできる構造簡単な打抜き装置を提供することである。
【課題を解決するための手段】
【０００９】
本発明は、連続するトリム下切刃をそなえた下トリマーと、該下トリマーに対して相対移動可能に対向配置され、前記下トリマーのトリム下切刃とかみ合い可能なトリム上切刃を備えた上トリマーと、該上トリマーに対して相対移動可能に対向配置された前記上トリマーのスクラップ上切刃と噛み合い可能なスクラップ下切刃を備えるスクラップカッターとからなり、常態において前記スクラップ下切刃の上面をトリム下切刃と同一高さになるよう前記スクラップカッターの水平部下面を、スクラップカッタの下切刃とスクラップ上切刃とによる剪断力より強いばねをもって押し上げるよう付勢してなることを特徴とする打抜き装置である。
【発明の効果】
【００１０】
本発明打抜き装置は、連続するトリム下切刃をそなえた下トリマーと、該下トリマーに対して相対移動可能に対向配置され、前記下トリマーのトリム下切刃とかみ合い可能なトリム上切刃を備えた上トリマーと、該上トリマーに対して相対移動可能に対向配置された前記上トリマーのスクラップ上切刃と噛み合い可能なスクラップ下切刃を備えるスクラップカッターとからなり、常態において前記スクラップ下切刃の上面をトリム下切刃と同一高さになるよう前記スクラップカッターの水平部下面を、スクラップカッタの下切刃とスクラップ上切刃とによる剪断力より強いばねをもって押し上げるよう付勢してなることを特徴とするので、打抜き時、スクラップカッターのスクラップ切刃刃面を前記下トリマーのトリム下切刃の高さにあるように設定しておけば、製品打抜き部に生じやすい前記ねじり切り（空中切り）を極力少なくし、ねじり切りにより派生する前記不具合をなくすことのできる構造簡単な打抜き装置を提供することができる。
【発明を実施するための最良の形態】
【００１１】
本発明の好ましい実施の形態を図１乃至図５により説明すると、本発明打抜き装置１０は、連続するトリム下切刃２をそなえた下トリマー１と、該下トリマー１に対して相対移動可能に対向配置され、前記下トリマー１のトリム下切刃２とかみ合い可能なトリム上切刃４、４’を備えた上トリマー３と、該上トリマー３に対して相対移動可能に対向配置された前記上トリマー３のスクラップ上切刃５と噛み合い可能なスクラップ下切刃１２を備えるスクラップカッター１１とからなり、常態において前記スクラップ下切刃１２の上面をトリム下切刃２と同一高さになるよう前記スクラップカッター１１の水平部下面を、スクラップカッタ１１の下切刃１２とスクラップ上切刃５とによる剪断力より強いばね１３をもって押し上げるよう付勢してなることを特徴とするので、打抜き時、スクラップカッターのスクラップ切刃刃面を前記下トリマーのトリム下切刃の高さにあるように設定しておけば、製品打抜き部に生じやすい前記ねじり切り（空中切り）を極力少なくし、ねじり切りにより派生する前記不具合をなくすことのできる構造簡単な打抜き装置を提供するものである。
【実施例１】
【００１２】
本発明打抜き装置１０におけるスクラップカッター１１及びスクラップ下切刃１２以外は、図７以下に示す従来の打抜き装置と同一であるが、スクラップカッター１１は形状は従来とほぼ同一としながらも、図１に示すように、常態においてスクラップ下切刃１２の上面をトリム下切刃２と同一高さになるよう、且つ上下に移動可能に保持するものとする。なお、図１において点線で表示したのは従来のスクラップカッター６を示している。
【００１３】
上記スクラップカッター１１の常態においてスクラップ下切刃１２の上面をトリム下切刃２と同一高さになるよう、且つ上下に移動可能に保持するために、スクラップカッター１１の下部にばね１３を設定して、これによりスクラップカッター１１を上方に付勢するが、このばね１３は、スクラップカッター１１のスクラップ下切刃１２と上トリマー３のスクラップ上切刃５とによる剪断力よりも強いものを選定し、例えば窒素ガス封入式シリンダ形スプリングや窒素ガス併用油封入式シリンダ形スプリングなどを用いる。
【００１４】
本発明打抜き装置では、まず図２に示すように、板金材料８が下トリマー１の上面及びスクラップカッター１１のスクラップ下切刃１２に位置決めされた後、下トリマー１に対して上トリマー３を下降させれば、図３に示すように、板金材料８を挟みつつスクラップカッター１１のスクラップ下切刃１２とその上方の上トリマー３のトリム上切刃４とにより剪断が行われる。この際、本発明のスクラップカッター１１には、従来のスクラップカッター６のごときトリム上切刃４とスクラップ下切刃７との間の大きなかみ合い差がないから前記捩じり切り（空中切り）現象は極くすくなくできる。
【００１５】
ばね１３はスクラップカッター１１を押し上げるのでスクラップカッター１１がモーメント不均衡によって倒れ、これを破壊することがない。
更に上トリマー３が下降すれば、図４に示すようにトリム上切刃４’による剪断を行いながら、スクラップカッター１１のスクラップ下切刃１２をトリム上切刃４によりばね１３に抗して押し下げる。
【００１６】
更に上トリマー３が下降すると、トリム上切刃４全体による剪断が行われ、剪断加工は終了する。
【００１７】
図５、図６に示すように、スクラップカッター１１のスクラップ下切刃１２に対して上トリマー３のスクラップ上切刃５を、内側から外側に下がるように傾斜（傾斜角５〜１０度）した刃先とするときは、剪断時にはスクラップ下切刃１２をトリム下切刃２に密着せしめるように、押圧しつつ板金材料８の端部からトリム下切刃２に向けて切断するので、前記捩じり切り（空中切り）現象は更に小さくなり、トリム下切刃２の切っ先への曲げ力を下げることができる。
【産業上の利用可能性】
【００１８】
前記ばね１３の例として、窒素ガス封入式シリンダ形スプリングや窒素ガス併用油封入式シリンダ形スプリングを挙げたが、スクラップ部の切断代が少なく、剪断力が小さい場合、あるいは板厚の薄い場合は、コイルスプリングでも可能である。
【図面の簡単な説明】
【００１９】
【図１】本発明打抜き装置の一例を示す要部斜視図である。
【図２】本発明打抜き装置の一例における、一部を断面で示した作動前の正面略図である。
【図３】本発明打抜き装置の一例における、一部を断面で示した作動時の正面略図である。
【図４】本発明打抜き装置の一例における、作動時の要部斜視図である。
【図５】本発明打抜き装置の他の一例における、作動時の要部斜視図である。
【図６】図６の矢視相当図である。
【図７】従来の打抜き装置の一例における、一部を断面で示した作動前の正面略図である。
【図８】従来の打抜き装置の一例における、一部を断面で示した作動時の正面略図である。
【図９】従来の打抜き装置の一例における、作動時の要部斜視図である。
【符号の説明】
【００２０】
１                                  下トリマー
２                                  トリム下切刃
３                                  上トリマー
４                                  トリム上切刃
５                                  スクラップ上切刃
６、１１                            スクラップカッター
７、１２                            スクラップ下切刃
８                                  板金材料
８ａ                                製品打抜き部
８ｂ                                スクラップ打抜き部
１０                                本発明打抜き装置
１３                                ばね。
【図１】
0004799828.tif 000002
【図２】
0004799828.tif 000003
【図３】
0004799828.tif 000004
【図４】
0004799828.tif 000005
【図５】
0004799828.tif 000006
【図６】
0004799828.tif 000007
【図７】
0004799828.tif 000008
【図８】
0004799828.tif 000009
【図９】
0004799828.tif 000010